(57)【特許請求の範囲】
【請求項１】
鉄塔近傍で架空送電線間に介在するジャンパ線を圧着し、鉄塔に架空送電線を引き留める引き留めクランプにボルト接続される接続部を備えたジャンパソケットを接続ボルト抜き取り後に引き留めクランプから引き離すためのジャンパソケット開放工具において、
前記ジャンパソケットの接続部に係合して前記ジャンパソケットを引き留めクランプから側方へ引き離す方向について固定する把持金具と、
前記引き留めクランプに当てがって引き留めクランプに対して把持金具を進退操作可能なジャッキ機構とを備え、
前記ジャッキ機構は、引き留めクランプに当てがう受け部材と、前記把持金具が結合され、前記ジャンパソケットを引き留めクランプから側方へ引き離す方向に沿って前記受け部材に対して接近位置から離反位置に相対的に移動する移動片と、この移動片を移動させる移動手段とを具備することを特徴とするジャンパソケット開放工具。
【請求項２】
前記把持金具は、相互間にジャンパソケットの接続部を挟むように間隔を変更可能に対向する一対の把持片を備え、
この把持片の対向面には、前記ジャンパソケットのボルト孔に差し込まれる係止突起を夫々有することを特徴とする請求項１に記載のジャンパソケット開放工具。
【請求項３】
前記把持金具には、回動により前記把持片の少なくとも一方を軸方向に移動させて把持片相互の間隔を変更するボルト軸を備えていることを特徴とする請求項２に記載のジャンパソケット開放工具。
【請求項４】
前記ジャッキ機構の移動手段は、先端部に前記受け部材が回動自在に結合されると共に、前記移動片が螺合して移動片を引き留めクランプに対して進退可能に移動させる回転操作可能なねじ棒を具備することを特徴とする請求項１に記載のジャンパソケット開放工具。
【発明の詳細な説明】
【０００１】
【発明の属する技術分野】
本発明は、鉄塔径間をわたる架空送電線同士を鉄塔近傍でジャンパ線で接続するために、鉄塔に架空送電線を引き留める引き留めクランプにボルト接続されるジャンパソケットをボルトを抜き取り後に引き留めクランプから引き外すためのジャンパソケット開放工具に関するものである。
【０００２】
【従来の技術】
鉄塔径間をわたる架空送電線同士は鉄塔近傍でジャンパ線で接続される。架空送電線は鉄塔に引き留めクランプで引き留められ、ジャンパ線はこれに圧着されたジャンパソケットで引き留めクランプに接続される。引き留めクランプは、端部に引手を備えた鋼スリーブを内部に有するアルミスリーブから側方に接続板が延出している。一方、ジャンパソケットは、一端側にジャンパ線を圧着するためのスリーブと、他端側に引き留めクランプへ接続するための二股状の接続板とを備えている。引き留めクランプの接続板はジャンパソケットの接続板間に挿入してボルトで一体に締め止められる。
【０００３】
落雷や地震などの事故時の送電系統の復旧工事においては、ジャンパ線を本線から切断して故障区間を切り離すために、ジャンパソケットを引き留めクランプから取り外す作業が行われる。従来、ジャンパソケットの取り外し作業は、引き留めクランプ及びジャンパソケットの接続板を固定するボルトを抜き取った後にジャンパソケットを引き留めクランプから引き離している。しかし、ボルトを抜き取っても、接続板相互が堅く密着しているため、ハンマー等で叩きながら引き離している。
【０００４】
【発明が解決しようとする課題】
上記従来のジャンパソケットの取り外し作業においては、ジャンパソケットが引き留めクランプから外れ難く、作業効率が悪く、鉄塔上の高所作業となるから危険を伴うし、復旧に手間がかかる要因にもなるという問題がある。
そこで本発明は、ジャンパソケットを引き留めクランプから簡単に取り外すことができ、作業の安全性を向上させると共に、送電系統内の故障から迅速に復旧させるジャンパソケット開放工具を提供することを課題としている。
【０００５】
【課題を解決するための手段】
上記課題を解決するため、第１の発明においては、鉄塔近傍で架空送電線間に介在するジャンパ線を圧着し、鉄塔に架空送電線を引き留める引き留めクランプＣにボルト接続される接続部Ｊ１を備えたジャンパソケットＪを接続ボルトの抜き取り後に引き留めクランプＣから引き離すためのジャンパソケット開放工具１において、ジャンパソケットＪの接続部Ｊ１を把持金具２で係止させ、この把持金具２をジャッキ機構３に相対移動可能に結合し、引き留めクランプＣに把持金具２を固定して引き留めクランプＣに対して把持金具２を進退操作するようにジャンパソケット開放工具１を構成した。
第２の発明においては、把持金具２に、相互間にジャンパソケットＪの接続部Ｊ１を挟むように間隔を変更可能に対向させた一対の把持片６，８を設け、ジャンパソケットＪのボルト孔Ｊ２に差し込む係止突起１０を夫々設けた。
第３の発明においては、把持金具２に回動により把持片の少なくとも一方８を軸方向に移動させて把持片６，８相互の間隔を変更するボルト軸９を設けた。
第４の発明においては、ジャッキ機構３を、ねじ棒１５の先端部に引き留めクランプＣへ当てがう受け部材１６を回動自在に結合し、ねじ棒１５に螺合してねじ棒１５の回転によりねじ棒１５上を移動する移動片１４に把持金具２を回動自在に結合した。
【０００６】
【発明の実施の形態】
本発明の実施の一形態を図面を参照して説明する。
図１ないし図５において、ジャンパソケット開放工具１は、把持金具２と、ジャッキ機構３とで構成されている。把持金具２は、断面略コ字状の板フレーム４を備えている。板フレーム４は、結合板５の両端部から固定把持板６と支持板７とが直角に立ち上がって間隔をおいて平行に対向するように構成されている。固定把持板６と支持板４との間には、可動把持板８がこれらにほぼ平行に対向するように配置され、一方の固定把持板６に螺合するねじ軸９で支持されている。把持板６，８には、相互間にジャンパソケットＪの接続板Ｊ１，Ｊ１を挟んで対向したときにボルト孔Ｊ１に対応する位置にこれへ差し込まれる係止突起１０が設けられている。ねじ軸９は、一端が可動把持板８に回動自在に枢着され、可動把持板８から垂直に伸びて、支持板７に螺合し、他端に円板状の回転ハンドル７ａが固着されている。また、可動把持板８には二本のガイドロッド１１が垂直に固定されている。このガイドロッド１１は支持板７を自由に貫通しており、先端に鍔状の第１ストッパ１１ａを有する。この第１ストッパ１１ａは、可動把持板８の把持板６側への移動を規制する。支持板７の外面には、第１ストッパ１１ａと支持板７との間に出入りして最大ストローク長を変更することができるストローク調整板１２がねじ１２ａで固定される。このストローク調整板１２の固定位置は、長孔１２ｂの範囲で調整される。また、板フレーム４の結合板５の内面には、可動把持板８の把持板６側への移動を規制する第２ストッパ１３が設けられている。第２ストッパ１３は、結合板５上に載せ置かれる横板１３と、この横板１３の一端からほぼ直角に立ち上がった縦板１３ｂと、横板１３を結合板５に固定するためのボルト１３ｃとを備えている。可動把持板８の端縁には横板１３を自由に貫通させるが縦板１３ｂの通過を阻止する切欠き８ａが形成されている。結合板５には、第２ストッパ１３の固定位置を可動把持板８の移動方向へ変更するためにボルト１３ｃを挿通させる長孔５ａが設けられている。
【０００７】
把持金具２の側部にはジャッキ機構３が設けられている。ジャッキ機構３は、固定把持板６の外側に突出するように固定された移動片１４と、この移動片１４が途上で螺合するねじ棒１５を備えている。ねじ棒１５は、先端に引き留めクランプ本体Ｃを受け入れる受け部材１６が回動自在に設けられており、他端部に円盤状の回転ハンドル１５ａが固着されている。受け部材１６は、引き留めクランプＣ本体の外形に対応する形状に形成されている。
【０００８】
このジャンパソケット開放工具１は、送電系統の事故時の復旧工事において、引き留めクランプＣ及びジャンパソケットＪの接続板Ｃ２，Ｊ１を固定するボルトを抜き取ってから、ジャンパソケットＪを引き留めクランプＣから取り外すときに用いる。ジャンパソケット開放工具１においては、ジャンパソケットＪと引き留めクランプＣとの引き離し作業に当たり、先ず把持金具２をジャンパソケットＪの接続部Ｊ１に係止する。把持金具２の可動把持板８と固定把持板６との間隔は予め広げておき、両者間にジャンパソケットＪの接続部Ｊ１を挿入し、ボルト孔Ｊ２に係止突起１０を差し込んで把持金具２を接続部Ｊ１に固定する。可動把持板８は、回転ハンドル９ａと共にねじ棒９を回転させると、支持板７にねじ棒８がねじ込まれていくので固定把持板６に接近していき固定把持板６との間に接続部Ｊ１を挟み込む。このとき、必要に応じてストローク調整板１２を支持板７と第１ストッパ１１ａとの間に配置して固定し、また第２ストッパ１３の位置を固定把持板６側に固定することによりジャンパソケットＪの接続部Ｊ１の厚みが小さいものに応じて可動把持板７の移動長さを短縮できるし、接続部Ｊ１に過大な把持力がかかるのを回避する。次に、ジャッキ機構３の受け部材１６を引き留めクランプ本体Ｃにその外形に合わせて当てがい、回転ハンドル１５ａと共にねじ棒１５を回転させると、ねじ棒１５上の移動片１４が相対的に移動するので、把持金具２が引き留めクランプ本体Ｃから離れていき、ジャンパソケットＪを引き留めクランプＣから分離させる。このとき、回転ハンドル１６に加える回転力は直接ジャンパソケットＪを引き留めクランプＣから引き離す直線的な引っ張り力より軽くなる。
【０００９】
【発明の効果】
以上のように、本発明は、ジャンパソケット及び引き留めクランプの接続板同士が堅く密着していても、軽い力で簡単に引き外すことができるので、作業効率がよく、鉄塔上の高所作業を安全に短時間で遂行することができ、復旧にかかる時間を短縮することができるという効果を有する。
【図面の簡単な説明】
【図１】本発明に係るジャンパソケット開放工具の斜視図である。
【図２】ジャンパソケット開放工具の平面図である。
【図３】ジャンパソケット開放工具の正面図である。
【図４】ジャンパソケット開放工具の右側面図である。
【図５】ジャンパソケット開放工具の左側面図である。
【符号の説明】
１    ジャンパソケット開放工具
２    把持金具
３    ジャッキ機構
６    固定把持板
７    支持板
８    可動把持板
９    ねじ軸
１０    係止突起
１４    移動片
１５    ねじ棒
１６    受け部材
Ｃ    引き留めクランプ
Ｃ１  接続板
Ｊ    ジャンパソケット
Ｊ１  接続板
Ｊ２  ボルト孔
【図１】
0004306094.tif 000002
【図２】
0004306094.tif 000003
【図３】
0004306094.tif 000004
【図４】
0004306094.tif 000005
【図５】
0004306094.tif 000006